(57)【要約】【課題】画像表示装置と接続可能であって、簡易に画像表示装置を制御することが可能な画像入力装置を提供する。【解決手段】画像入力装置（書画カメラ１）は、被写体を載置可能とし、所定のパターンが印刷された載置面を有する載置部と、載置部を撮像して画像情報を生成する撮像部１２と、撮像部１２によって生成された画像情報に応じた画像信号を画像表示装置（プロジェクター１００）に対して送信する画像送信部１８と、撮像部１２によって生成された画像情報に、所定のパターンを表す所定パターン情報が含まれているか否かを解析する画像情報解析部１５と、画像情報解析部１５の解析結果に基づいて、画像表示装置に対して制御信号を送信する制御信号送信部１６と、を備える。【選択図】図３
2010219855.tif 000002
【特許請求の範囲】
【請求項１】
画像表示の状態を制御するための制御信号、および、画像信号を受信し、前記画像信号に基づいた画像を表示する画像表示装置と接続可能な画像入力装置であって、
被写体を載置可能とし、所定のパターンが印刷された載置面を有する載置部と、
前記載置部を撮像して画像情報を生成する撮像部と、
前記撮像部によって生成された前記画像情報に応じた前記画像信号を前記画像表示装置に対して送信する画像送信部と、
前記撮像部によって生成された前記画像情報に、前記所定のパターンを表す所定パターン情報が含まれているか否かを解析する画像情報解析部と、
前記画像情報解析部の解析結果に基づいて、前記画像表示装置に対して前記制御信号を送信する制御信号送信部と、
を備えることを特徴とする画像入力装置。
【請求項２】
請求項１に記載の画像入力装置であって、
前記制御信号送信部は、前記画像情報解析部の解析結果に基づいて、前記画像情報に前記所定パターン情報が含まれている場合に、前記画像表示装置を電源オフさせるための前記制御信号を送信し、前記画像情報に前記所定パターン情報が含まれていない場合に、前記画像表示装置を電源オンさせるための前記制御信号を送信することを特徴とする画像入力装置。
【請求項３】
請求項１に記載の画像入力装置であって、
前記制御信号送信部は、前記画像情報解析部の解析結果に基づいて、前記画像情報に前記所定パターン情報が含まれている場合に、前記画像表示装置を前記画像の表示を一時停止する画像ミュート状態にさせるための前記制御信号を送信し、前記画像情報に前記所定パターン情報が含まれていない場合に、前記画像表示装置の画像ミュート状態を終了させるための前記制御信号を送信することを特徴とする画像入力装置。
【請求項４】
請求項１乃至３のいずれか一項に記載の画像入力装置であって、
前記画像情報解析部の解析結果に基づいて、前記画像情報に前記所定パターン情報が含まれている場合に、前記画像送信部による前記画像信号の送信を停止させる画像送信停止部を、さらに備えることを特徴とする画像入力装置。
【請求項５】
請求項１乃至４のいずれか一項に記載の画像入力装置であって、
ＵＳＢ規格に準拠した通信手段としてのＵＳＢ通信部をさらに有し、
前記ＵＳＢ通信部は、前記画像送信部が送信する前記画像信号をＵＳＢ通信によって通信可能とする第１のＵＳＢファンクションと、前記制御信号送信部が送信する前記制御信号をＵＳＢ通信によって通信可能とする第２のＵＳＢファンクションとを有し、前記第１のＵＳＢファンクションおよび前記第２のＵＳＢファンクションをマルチファンクションとして機能させることを特徴とする画像入力装置。
【発明の詳細な説明】
【技術分野】
【０００１】
本発明は、画像入力装置に関する。
【背景技術】
【０００２】
従来、プレゼンテーション等において、画像入力装置（例えば、書画カメラ）と画像表示装置（例えば、プロジェクター）とを接続して画像を表示する際に、画像表示装置に画像表示を開始させるためには、ユーザーが画像表示装置に対して電源オンの操作を行っていた。また、画像表示を終了するためには、ユーザーが画像表示装置に対して電源オフの操作を行っていた。
【０００３】
また、特許文献１には、撮像装置を備えたプロジェクターであって、当該撮像装置が所定のパターンが書かれたカードを撮像してそのパターンを解析し、その解析結果に基づいて電源オンしたり、電源オフしたり、その他の制御をしたりするプロジェクターが開示されている。
【先行技術文献】
【特許文献】
【０００４】
【特許文献１】特開２００６−２９３１２３号公報
【発明の概要】
【発明が解決しようとする課題】
【０００５】
しかしながら、ユーザーにとって、プレゼンテーションのための画像入力装置の操作を行いながら、画像表示装置の電源オン／オフの操作を行うことは、煩雑であり、利便性が低いという問題があった。
【０００６】
また、特許文献１のプロジェクターと画像入力装置とを接続した場合には、プロジェクターと画像入力装置とは、設置している場所が離れていることが多いため、画像入力装置付近にいるユーザーが、プロジェクターにカードのパターンを認識させることは困難であった。
【課題を解決するための手段】
【０００７】
本発明は、上述の課題の少なくとも一部を解決するためになされたものであり、以下の形態または適用例として実現することが可能である。
【０００８】
［適用例１］本適用例に係る画像入力装置は、画像表示の状態を制御するための制御信号、および、画像信号を受信し、前記画像信号に基づいた画像を表示する画像表示装置と接続可能な画像入力装置であって、被写体を載置可能とし、所定のパターンが印刷された載置面を有する載置部と、前記載置部を撮像して画像情報を生成する撮像部と、前記撮像部によって生成された前記画像情報に応じた前記画像信号を前記画像表示装置に対して送信する画像送信部と、前記撮像部によって生成された前記画像情報に、前記所定のパターンを表す所定パターン情報が含まれているか否かを解析する画像情報解析部と、前記画像情報解析部の解析結果に基づいて、前記画像表示装置に対して前記制御信号を送信する制御信号送信部と、を備えることを特徴とする。
【０００９】
このような画像入力装置によれば、載置部は、被写体を載置可能とし、所定のパターンが印刷された載置面を有する。撮像部は、載置部を撮像する。画像送信部は、撮像部によって撮像された画像情報に応じた画像信号を画像表示装置に対して送信する。画像情報解析部は、画像情報に所定パターン情報が含まれているか否かを解析する。制御信号送信部は、画像情報解析部の解析結果に基づいて、画像表示装置に対して画像表示の状態を制御するための制御信号を送信する。つまり、画像入力装置は、画像情報に所定のパターンが含まれているか否かによって、画像表示装置の画像表示の状態を制御することができる。これにより、ユーザーは、画像入力装置の載置部に被写体を載置した状態、即ち所定のパターンを隠した状態にしたり、被写体を載置しない状態、即ち所定のパターンが現れた状態にしたりすることにより、簡易に画像表示装置を制御することが可能となるため、利便性が向上する。
【００１０】
［適用例２］上記適用例に係る画像入力装置において、前記制御信号送信部は、前記画像情報解析部の解析結果に基づいて、前記画像情報に前記所定パターン情報が含まれている場合に、前記画像表示装置を電源オフさせるための前記制御信号を送信し、前記画像情報に前記所定パターン情報が含まれていない場合に、前記画像表示装置を電源オンさせるための前記制御信号を送信することを特徴とする。
【００１１】
このような画像入力装置によれば、制御信号送信部は、画像情報に所定パターン情報が含まれている場合に、画像表示装置に電源オフさせるための制御信号を送信し、所定パターン情報が含まれていない場合に、画像表示装置に電源オンさせるための制御信号を送信する。つまり、ユーザーは、載置部に被写体を載置しないで所定のパターンが現れた状態にすることで、画像表示装置を電源オフさせることができる。また、載置部に被写体を載置して所定のパターンを隠した状態にすることで、画像表示装置を電源オンさせることができる。これにより、ユーザーは、簡易に画像表示装置の電源オン／オフを制御することが可能となるため、利便性が向上する。
【００１２】
［適用例３］上記適用例に係る画像入力装置において、前記制御信号送信部は、前記画像情報解析部の解析結果に基づいて、前記画像情報に前記所定パターン情報が含まれている場合に、前記画像表示装置を前記画像の表示を一時停止する画像ミュート状態にさせるための前記制御信号を送信し、前記画像情報に前記所定パターン情報が含まれていない場合に、前記画像表示装置の画像ミュート状態を終了させるための前記制御信号を送信することを特徴とする。
【００１３】
このような画像入力装置によれば、制御信号送信部は、画像情報に所定パターン情報が含まれている場合に、画像表示装置に画像ミュート状態にさせるための制御信号を送信し、所定パターン情報が含まれていない場合に、画像表示装置に画像ミュート状態を終了させるための制御信号を送信する。つまり、ユーザーは、載置部に被写体を載置しないで所定のパターンが現れた状態にすることで、画像表示装置を画像ミュート状態にさせることができる。また、載置部に被写体を載置して所定のパターンを隠した状態にすることで、画像表示装置の画像ミュート状態を終了させることができる。これにより、ユーザーは、簡易に画像表示装置の画像ミュート状態を制御することが可能となるため、利便性が向上する。
【００１４】
［適用例４］上記適用例に係る画像入力装置において、前記画像情報解析部の解析結果に基づいて、前記画像情報に前記所定パターン情報が含まれている場合に、前記画像送信部による前記画像信号の送信を停止させる画像送信停止部を、さらに備えることを特徴とする。
【００１５】
このような画像入力装置によれば、画像送信停止部は、画像情報に所定パターン情報が含まれている場合に、画像送信部による画像信号の送信を停止させる。これにより、画像入力装置は、不要な画像信号を送信しなくなるため、消費電力を低減することができる。
【００１６】
［適用例５］上記適用例に係る画像入力装置において、ＵＳＢ規格に準拠した通信手段としてのＵＳＢ通信部をさらに有し、前記ＵＳＢ通信部は、前記画像送信部が送信する前記画像信号をＵＳＢ通信によって通信可能とする第１のＵＳＢファンクションと、前記制御信号送信部が送信する前記制御信号をＵＳＢ通信によって通信可能とする第２のＵＳＢファンクションとを有し、前記第１のＵＳＢファンクションおよび前記第２のＵＳＢファンクションをマルチファンクションとして機能させることを特徴とする。
【００１７】
このような画像入力装置によれば、ＵＳＢ通信部は、ＵＳＢ規格に準拠した通信手段である。そして、ＵＳＢ通信部は、画像信号をＵＳＢ通信によって通信可能とする第１のＵＳＢファンクションと、制御信号をＵＳＢ通信によって通信可能とする第２のＵＳＢファンクションとを有して、マルチファンクションとして機能させる。これにより、画像入力装置と画像表示装置とは、１つのＵＳＢケーブルによって接続可能となるため、装置間の配線を簡易化することができる。
【図面の簡単な説明】
【００１８】
【図１】第１の実施形態に係る書画カメラ、およびプロジェクターを示す図であり、（ａ）は、画像を投写していない状態を示す斜視図、（ｂ）は、画像を投写している状態を示す斜視図。
【図２】書画カメラの載置面に印刷された所定のパターンを表す説明図。
【図３】書画カメラの概略構成を示すブロック図。
【図４】書画カメラの状態遷移図。
【図５】書画カメラの待機状態における処理のフローチャート。
【図６】書画カメラの撮像解析状態における処理のフローチャート。
【図７】書画カメラの画像送信状態における処理のフローチャート。
【図８】プロジェクターの状態遷移図。
【図９】書画カメラおよびプロジェクターの動作を示すシーケンス図。
【図１０】第２の実施形態に係る書画カメラの状態遷移図。
【図１１】書画カメラの待機状態における処理のフローチャート。
【図１２】書画カメラの画像送信状態における処理のフローチャート。
【図１３】書画カメラの画像停止状態における処理のフローチャート。
【図１４】プロジェクターの状態遷移図。
【図１５】書画カメラおよびプロジェクターの動作を示すシーケンス図。
【発明を実施するための形態】
【００１９】
以下、実施形態について説明する。
【００２０】
（第１の実施形態）
第１の実施形態では、画像入力装置の実施形態として、書画カメラについて説明する。また、第１の実施形態では、画像表示装置として、画像信号に基づく画像を外部のスクリーン等に投写するプロジェクターについて説明する。
【００２１】
図１は、第１の実施形態に係る書画カメラ、およびプロジェクターを示す図である。ここで、同図（ａ）は、画像を投写していない状態を示す斜視図、同図（ｂ）は、画像を投写している状態を示す斜視図である。
図１に示すように、本実施形態では、書画カメラ１とプロジェクター１００とがＵＳＢケーブルＣを介して接続されている。
【００２２】
書画カメラ１は、箱状の筐体１０と、筐体１０の端部から上方に延出する中空の支持アーム１１と、支持アーム１１の上端に固定された撮像部１２とを備えており、筐体１０の上面には、上方（撮像部１２側）から見て矩形の載置部としてのステージ１０ａと、複数の操作キーからなる入力操作部１３とが設けられている。ステージ１０ａ上には、原稿等の被写体Ｍが載置可能となっている。図１（ｂ）に示すように、撮像部１２は、ステージ１０ａ方向を撮像することで、被写体Ｍを撮像することができる。そして、書画カメラ１は、撮像部１２が撮像した画像情報に基づいて画像信号をＵＳＢケーブルＣを介して外部の装置（本実施形態ではプロジェクター１００）に送信することができる。
【００２３】
ここで、図１（ａ）に示すように、本実施形態の書画カメラ１のステージ１０ａの載置面には、所定のパターンが印刷されている。
図２は本実施形態の書画カメラ１の載置面に印刷された所定のパターンを表す説明図である。図２に示すように、本実施形態では、ステージ１０ａ上の載置面の略中央に所定のパターンＰＴとして星型のパターンが印刷されている。これにより、ステージ１０ａ上に被写体Ｍが載置されている場合には、撮像部１２は被写体Ｍを撮像し、ステージ１０ａ上に被写体Ｍが載置されていない場合には、撮像部１２は所定のパターンＰＴを撮像することになる。そして、書画カメラ１は、撮像した画像情報に所定のパターンＰＴを表す所定パターン情報が含まれているか否かを解析する。書画カメラ１は、解析結果に基づいて、プロジェクター１００に対して制御信号や画像信号を送信する。
【００２４】
図１に戻り、プロジェクター１００は、入力される画像信号に基づく画像を形成し、外部の投写面Ｓ（例えば、スクリーン）に投写して表示するプロジェクターである。本実施形態においては、書画カメラ１から入力される画像信号に基づく画像、即ち撮像部１２によって撮像された画像を投写する。また、プロジェクター１００は、書画カメラ１からの制御信号を受信可能とし、その制御信号に基づいて、プロジェクター１００の画像表示の状態は制御される。
【００２５】
図３は、書画カメラ１の概略構成を示すブロック図である。
図３に示すように、書画カメラ１は、上述した撮像部１２及び入力操作部１３に加えて、制御部１４、画像情報解析部１５、制御信号送信部１６、画像処理部１７、画像送信部１８、ＵＳＢ通信部１９等を備えて構成され、これらは筐体１０の内部に収容されている。
【００２６】
制御部１４は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部１４は、ＣＰＵが不揮発性のメモリーに記憶されている制御プログラムに従って動作することにより、書画カメラ１の動作を統括制御する。
【００２７】
入力操作部１３は、ユーザーからの入力操作を受け付けるものであり、書画カメラ１に対して各種指示を行うための複数の操作キーを備えている。入力操作部１３が備える操作キーとしては、電源のオン／オフを切り替えるための「電源キー」の他、オートフォーカスを行うための「オートフォーカスキー」等がある。ユーザーが入力操作部１３の各種操作キーを操作すると、入力操作部１３は、この入力操作を受け付けて、ユーザーの操作内容に応じた操作情報を制御部１４に出力する。
【００２８】
撮像部１２は、ＣＣＤ（Charge Coupled Device）センサーやＣＭＯＳ（Complementary Metal Oxide Semiconductor）センサー等からなる撮像素子（図示せず）と、被写体Ｍで反射した光を撮像素子の受光面上に結像させる撮像レンズ（図示せず）とを備えており、ステージ１０ａの全域と略一致する矩形の範囲を撮像可能になっている。撮像素子の受光面には、マトリクス状に配列された複数の画素（受光画素）が形成されており、撮像部１２は、各画素の受光量に基づく画像情報を所定のフレームレートで生成する。この画像情報は、撮像素子上のすべての画素に対応する複数の画素値によって構成されており、支持アーム１１の内部に配線されているケーブル（図示せず）を介して画像情報解析部１５および画像処理部１７に順次出力される。
【００２９】
画像情報解析部１５は、撮像部１２で撮像された画像情報を解析し、所定パターン情報を検出する。具体的には、画像情報解析部１５は、図２で示した星型のパターンを表す情報を、その形状や色に基づいて検出可能になっている。そして、検出結果を制御部１４に出力する。
【００３０】
画像処理部１７は、制御部１４の指示に基づいて、撮像部１２から入力される画像情報をプロジェクター１００で利用可能な形式の画像信号に変換し、変換後の画像信号を画像送信部１８に出力する。
【００３１】
画像送信部１８は、制御部１４の指示に基づいて、画像処理部１７から入力される画像信号の送信制御を行う。制御部１４から画像信号の送信を開始するように指示があれば、画像送信部１８は画像信号の送信を開始する。また、制御部１４から画像信号の送信を停止するように指示があれば、画像送信部１８は画像信号の送信を停止する。画像信号は、後述するＵＳＢ通信部１９を介してプロジェクター１００に送信される。
【００３２】
制御信号送信部１６は、制御部１４の指示に基づいて、プロジェクター１００の画像投写の状態を制御するための制御信号を送信する。制御信号の種類としては、プロジェクター１００を電源オンして画像投写を開始させるための電源オン要求信号や、プロジェクター１００を電源オフして画像投写を終了させるための電源オフ要求信号等がある。制御信号送信部１６は、これらの制御信号をＵＳＢ通信部１９を介してプロジェクター１００に送信する。
【００３３】
ＵＳＢ通信部１９は、ＵＳＢ規格に準拠した通信手段であり、ＵＳＢケーブルＣを介して外部のプロジェクター１００と接続されている。ＵＳＢ通信部１９は、画像送信部１８から送信された画像信号、および制御信号送信部１６から送信された制御信号を、ＵＳＢデータ伝送によってプロジェクター１００に送信する。
【００３４】
ここで、ＵＳＢ通信部１９は、書画カメラ１からプロジェクター１００に画像信号を送信可能な第１のＵＳＢファンクションと、制御信号を送信可能な第２のＵＳＢファンクションとが実装されている。これにより、ＵＳＢ通信部１９は、これらのＵＳＢファンクションをマルチファンクションとして機能させることにより、書画カメラ１とプロジェクター１００とを、１つのＵＳＢケーブルＣで接続することが可能となる。
【００３５】
上述した構成により、書画カメラ１は、プロジェクター１００に対して、画像信号および制御信号を送信し、プロジェクター１００を電源オンして画像投写をさせたり、電源オフして画像投写を停止させたりすることができる。
以降、書画カメラ１およびプロジェクター１００の動作処理について説明する。
【００３６】
まず、書画カメラ１の状態遷移について説明する。図４は、本実施形態に係る書画カメラ１の状態遷移図である。図４に示すように、書画カメラ１は、待機状態ＳＴ１０、撮像解析状態ＳＴ１１、および画像送信状態ＳＴ１２に遷移可能となっている。
【００３７】
書画カメラ１は、外部からＡＣ１００Ｖ等の商用電源が供給されると、待機状態ＳＴ１０となる。待機状態ＳＴ１０は、書画カメラ１が、電源オン操作が行われるのを待機している状態である。待機状態ＳＴ１０において、電源オン操作が行われると、撮像解析状態ＳＴ１１に遷移する。
【００３８】
撮像解析状態ＳＴ１１は、書画カメラ１が、撮像した画像情報に所定パターン情報が含まれているか否かを解析している状態である。この撮像解析状態ＳＴ１１は、画像情報に基づく画像信号をプロジェクター１００に送信していない状態である。撮像解析状態ＳＴ１１において、撮像した画像情報に所定パターン情報が検出されなくなった場合、書画カメラ１は、画像送信状態ＳＴ１２に遷移する。また、撮像解析状態ＳＴ１１において、電源オフ操作が行われた場合、書画カメラ１は、待機状態ＳＴ１０に遷移する。
【００３９】
画像送信状態ＳＴ１２は、書画カメラ１が、撮像した画像情報に所定パターン情報が含まれているか否かを解析しながら、画像情報に基づく画像信号をプロジェクター１００に送信している状態である。画像送信状態ＳＴ１２において、撮像した画像情報に所定パターン情報が検出された場合、書画カメラ１は、撮像解析状態ＳＴ１１に遷移する。また、画像送信状態ＳＴ１２において、電源オフ操作が行われた場合、書画カメラ１は、待機状態ＳＴ１０に遷移する。
【００４０】
次に、書画カメラ１の各状態における処理と状態遷移について説明する。
図５は、書画カメラ１の待機状態ＳＴ１０における処理のフローチャートである。
【００４１】
待機状態ＳＴ１０において、制御部１４は、入力操作部１３に備わる電源キーが押下され、電源オン操作が行われたか否かを判断する（ステップＳ１０１）。電源オン操作が行われていない場合（ステップＳ１０１：ＮＯ）、ステップＳ１０１をループして、電源オン操作が行われるのを待ち続ける。
【００４２】
電源オン操作が行われた場合（ステップＳ１０１：ＹＥＳ）、制御部１４は、初期処理を行う（ステップＳ１０２）。本実施形態では、初期処理は、ＣＰＵの初期化やＲＡＭ等のメモリーの初期化を行う。また、その他のソフトウェアやハードウェアの初期化等も行われる。次に、制御部１４は、撮像部１２に指示を出して、撮像を開始する（ステップＳ１０３）。
【００４３】
制御部１４は、画像情報解析部１５に指示を出して、撮像した画像情報の解析を開始する（ステップＳ１０４）。そして、制御部１４は、書画カメラ１を撮像解析状態ＳＴ１１に遷移させる（ステップＳ１０５）。そして、待機状態ＳＴ１０における書画カメラ１の処理を終了する。
【００４４】
次に、撮像解析状態ＳＴ１１における処理と状態遷移について説明する。
図６は、書画カメラ１の撮像解析状態ＳＴ１１における処理のフローチャートである。
【００４５】
撮像解析状態ＳＴ１１において、画像情報解析部１５は、撮像部１２で撮像された画像情報を解析し、所定パターン情報の有無を検出して制御部１４に通知する（ステップＳ１１１）。所定パターン情報が検出されない場合（ステップＳ１１１：ＮＯ）、制御部１４は、画像処理部１７および画像送信部１８に指示を出して、画像情報に基づいた画像信号の送信を開始させる（ステップＳ１１２）。これにより、ＵＳＢ通信部１９からＵＳＢケーブルＣを介してプロジェクター１００に画像信号の送信が開始される。
【００４６】
制御部１４は、制御信号送信部１６に指示を出して、電源オン要求信号を送信させる（ステップＳ１１３）。これにより、ＵＳＢ通信部１９からＵＳＢケーブルＣを介してプロジェクター１００に電源オン要求信号が送信される。そして、制御部１４は、書画カメラ１を画像送信状態ＳＴ１２に遷移させる（ステップＳ１１４）。そして、撮像解析状態ＳＴ１１における書画カメラ１の処理を終了する。
【００４７】
所定パターン情報が検出された場合（ステップＳ１１１：ＹＥＳ）、制御部１４は、電源オフ操作が行われたか否かを判断する（ステップＳ１１５）。電源オフ操作が行われていれば（ステップＳ１１５：ＹＥＳ）、制御部１４は、撮像部１２に指示を出して、撮像を停止させる（ステップＳ１１６）。そして、制御部１４は、画像情報解析部１５に指示を出して、画像情報の解析を停止させる（ステップＳ１１７）。
【００４８】
制御部１４は、電源オフ処理を行う（ステップＳ１１８）。本実施形態では、電源オフ処理は、書画カメラ１の電源オフに伴って行われる処理を示し、電源オフに対応したソフトウェアやハードウェアの処理等を含む。そして、制御部１４は、書画カメラ１を待機状態ＳＴ１０に遷移させる（ステップＳ１１９）。そして、撮像解析状態ＳＴ１１における書画カメラ１の処理を終了する。
【００４９】
電源オフ操作が行われていなければ（ステップＳ１１５：ＮＯ）、制御部１４は、その他の操作が行われたか否かを判断する（ステップＳ１２０）。その他の操作が行われていれば（ステップＳ１２０：ＹＥＳ）、制御部１４は、その他の操作に対応した処理を行う（ステップＳ１２１）。そして、ステップＳ１１１に移行する。ここで、その他の操作とは、書画カメラ１の入力操作部１３に備わる各種キーの操作を示すが、説明は省略する。
【００５０】
その他の操作が行われていなければ（ステップＳ１２０：ＮＯ）、ステップＳ１１１に移行する。
【００５１】
次に、画像送信状態ＳＴ１２における処理と状態遷移について説明する。
図７は、書画カメラ１の画像送信状態ＳＴ１２における処理のフローチャートである。
【００５２】
画像送信状態ＳＴ１２において、画像情報解析部１５は、撮像部１２で撮像された画像情報を解析し、所定パターン情報の有無を検出して制御部１４に通知する（ステップＳ１３１）。所定パターン情報が検出された場合（ステップＳ１３１：ＹＥＳ）、制御部１４は、画像処理部１７および画像送信部１８に指示を出して、画像信号の送信を停止させる（ステップＳ１３２）。このときの制御部１４、画像処理部１７および画像送信部１８が画像送信停止部に相当する。これにより、ＵＳＢ通信部１９からプロジェクター１００への画像信号の送信が停止される。
【００５３】
制御部１４は、制御信号送信部１６に指示を出して、電源オフ要求信号を送信させる（ステップＳ１３３）。これにより、ＵＳＢ通信部１９からＵＳＢケーブルＣを介してプロジェクター１００に電源オフ要求信号が送信される。そして、制御部１４は、書画カメラ１を撮像解析状態ＳＴ１１に遷移させる（ステップＳ１３４）。そして、画像送信状態ＳＴ１２における書画カメラ１の処理を終了する。
【００５４】
所定パターン情報が検出されない場合（ステップＳ１３１：ＮＯ）、制御部１４は、電源オフ操作が行われたか否かを判断する（ステップＳ１３５）。電源オフ操作が行われていれば（ステップＳ１３５：ＹＥＳ）、制御部１４は、画像処理部１７および画像送信部１８に指示を出して、画像信号の送信を停止させる（ステップＳ１３６）。さらに、制御部１４は、制御信号送信部１６に指示を出して、電源オフ要求信号を送信させる（ステップＳ１３７）。
【００５５】
制御部１４は、撮像部１２に指示を出して、撮像を停止させる（ステップＳ１３８）。そして、制御部１４は、画像情報解析部１５に指示を出して、画像情報の解析を停止させる（ステップＳ１３９）。
【００５６】
制御部１４は、電源オフ処理を行う（ステップＳ１４０）。そして、制御部１４は、書画カメラ１を待機状態ＳＴ１０に遷移させる（ステップＳ１４１）。そして、画像送信状態ＳＴ１２における書画カメラ１の処理を終了する。
【００５７】
電源オフ操作が行われていなければ（ステップＳ１３５：ＮＯ）、制御部１４は、その他の操作が行われたか否かを判断する（ステップＳ１４２）。その他の操作が行われていれば（ステップＳ１４２：ＹＥＳ）、制御部１４は、その他の操作に対応した処理を行う（ステップＳ１４３）。そして、ステップＳ１３１に移行する。
【００５８】
その他の操作が行われていなければ（ステップＳ１４２：ＮＯ）、ステップＳ１３１に移行する。
【００５９】
上述したように、書画カメラ１は、待機状態ＳＴ１０と、撮像解析状態ＳＴ１１と、画像送信状態ＳＴ１２との間で遷移することができる。
【００６０】
次に、プロジェクター１００の状態遷移について説明する。図８は、本実施形態に係るプロジェクター１００の状態遷移図である。図８に示すように、プロジェクター１００は、待機状態ＳＴ２０、および投写状態ＳＴ２１に遷移可能となっている。
【００６１】
プロジェクター１００は、外部からＡＣ１００Ｖ等の商用電源が供給されると、待機状態ＳＴ２０となる。待機状態ＳＴ２０は、画像投写を行っておらず、電源オン要求信号の受信、または、電源オン操作を待機している状態である。待機状態ＳＴ２０において、電源オン要求信号の受信、または、電源オン操作を受け付けると、投写状態ＳＴ２１に遷移する。
【００６２】
投写状態ＳＴ２１は、プロジェクター１００が、書画カメラ１から送信された画像信号を受信して、その画像信号に基づいて画像を投写している状態である。投写状態ＳＴ２１において、電源オフ要求信号の受信、または、電源オフ操作が行われた場合、プロジェクター１００は、待機状態ＳＴ２０に遷移する。
【００６３】
次に、上述した書画カメラ１およびプロジェクター１００の動作をシーケンス図を用いて説明する。
図９は、書画カメラ１およびプロジェクター１００の動作を示すシーケンス図である。このシーケンス図では、縦線が時間の経過を表している。書画カメラ１およびプロジェクター１００が行う処理は、それぞれの縦線の右側に記している。また、ユーザーによる操作イベントは、シーケンス図の左端からの横矢印線として表している。書画カメラ１とプロジェクター１００との間の制御信号（要求信号）は、それぞれの縦線の間に横矢印線として記している。
【００６４】
ユーザーにより、書画カメラ１の電源オン操作が行われると（Ｅ１１）、書画カメラ１は、電源オンに伴う処理を実行し、撮像と画像情報の解析を開始する。ユーザーにより、ステージ１０ａ上に被写体Ｍが載置されると、所定のパターンＰＴは隠れて所定パターン情報は検出されなくなる（Ｅ１２）。すると、書画カメラ１は画像信号の送信を開始して、電源オン要求信号をプロジェクター１００に送信する。電源オン要求信号を受信すると、プロジェクター１００は、電源オンに伴う処理を実行し、画像の投写を開始する。
【００６５】
ユーザーにより、ステージ１０ａ上の被写体Ｍが取り除かれると、所定のパターンＰＴは現れて所定パターン情報は検出される（Ｅ１３）。すると、書画カメラ１は画像信号の送信を停止して、電源オフ要求信号をプロジェクター１００に送信する。電源オフ要求信号を受信すると、プロジェクター１００は、画像の投写を停止し、電源オフに伴う処理を実行して、電源オフする。ユーザーにより、書画カメラ１の電源オフ操作が行われると（Ｅ１４）、書画カメラ１は、撮像と画像情報の解析を停止し、電源オフに伴う処理を実行して、電源オフする。
【００６６】
上述したように、本実施形態の書画カメラ１およびプロジェクター１００の態様によれば、ユーザーが書画カメラ１に印刷された所定のパターンＰＴを隠すことにより、プロジェクター１００の電源をオンして画像投写を開始することができる。また、ユーザーが所定のパターンＰＴを現すことにより、プロジェクター１００の画像投写を停止して電源をオフすることができる。
【００６７】
上述した第１の実施形態によれば、以下の効果が得られる。
（１）書画カメラ１は、撮像した画像情報に所定のパターンＰＴを表す所定パターン情報が含まれているか否かを解析し、画像情報に所定パターン情報が含まれていない場合に、プロジェクター１００に電源オン要求信号を送信する。また、所定パターン情報が含まれている場合に、プロジェクター１００に電源オフ要求信号を送信する。つまり、ユーザーは、ステージ１０ａに被写体Ｍを載置して所定のパターンＰＴを隠した状態にすることで、プロジェクター１００を電源オンして画像を投写させることができる。また、ステージ１０ａから被写体Ｍを取り除いて所定のパターンＰＴが現れた状態にすることで、プロジェクター１００の画像の投写を停止して電源オフさせることができる。これにより、簡易にプロジェクター１００の電源オン／オフを制御することが可能となるため、利便性が向上する。また、ユーザーは、書画カメラ１から離れた位置に設置されているプロジェクター１００の電源オン／オフを操作する必要がなくなるため、有益である。
【００６８】
（２）書画カメラ１は、ユーザーにより、ステージ１０ａから被写体Ｍを取り除いて所定のパターンＰＴが現れた状態にされると、プロジェクター１００を電源オフさせる。これにより、プロジェクター１００の消費電力を低減することができる。また、プロジェクター１００の電源オフ操作が不要となるため、ユーザーによるプロジェクター１００の電源切り忘れを防止することができる。
【００６９】
（３）書画カメラ１は、撮像した画像情報に所定パターン情報が含まれている場合に、画像情報に基づいた画像信号の送信を停止する。つまり、ステージ１０ａ上に撮像すべき被写体Ｍが載置されていない場合に、画像信号の送信を停止する。これにより、書画カメラ１は、不要な画像信号を送信しなくなるため、消費電力を低減することができる。
【００７０】
（４）書画カメラ１は、ＵＳＢ規格に準拠した通信手段によって、画像信号および制御信号をプロジェクター１００に送信する。つまり、書画カメラ１およびプロジェクター１００には、画像信号を送信可能な第１のＵＳＢファンクションと、制御信号を送信可能な第２のＵＳＢファンクションとが実装されている。そして、書画カメラ１およびプロジェクター１００は、これらのＵＳＢファンクションをマルチファンクションとして機能させる。これにより、書画カメラ１とプロジェクター１００とを、１つのＵＳＢケーブルＣで接続することが可能となるため、装置間の配線を簡易化することができ、利便性が向上する。
【００７１】
（第２の実施形態）
以下、第２の実施形態について説明する。
【００７２】
第２の実施形態に係る書画カメラ２は、接続されたプロジェクター２００に対して、画像信号の他に、制御信号として、画像ミュート開始要求信号および画像ミュート終了信号を送信する。これらの制御信号によって、プロジェクター２００は、画像ミュートを開始したり終了したりする。
【００７３】
第２の実施形態では、図１で示した第１の実施形態と同様に、書画カメラ２とプロジェクター２００とがＵＳＢケーブルＣを介して接続されている。また、第２の実施形態に係る書画カメラ２の構成は、図３で示した第１の実施形態に係る書画カメラ１と同様である。よって、説明は省略する。
以降、書画カメラ２およびプロジェクター２００の動作処理について説明する。
【００７４】
まず、書画カメラ２の状態遷移について説明する。図１０は、第２の実施形態に係る書画カメラ２の状態遷移図である。図１０に示すように、書画カメラ２は、待機状態ＳＴ３０、画像送信状態ＳＴ３１、および画像停止状態ＳＴ３２に遷移可能となっている。
【００７５】
書画カメラ２は、外部からＡＣ１００Ｖ等の商用電源が供給されると、待機状態ＳＴ３０となる。待機状態ＳＴ３０は、書画カメラ２が、電源オン操作が行われるのを待機している状態である。待機状態ＳＴ３０において、電源オン操作が行われると、画像送信状態ＳＴ３１に遷移する。
【００７６】
画像送信状態ＳＴ３１は、書画カメラ２が、撮像した画像情報に所定パターン情報が含まれているか否かを解析しながら、画像情報に基づく画像信号をプロジェクター２００に送信している状態である。画像送信状態ＳＴ３１において、撮像した画像情報に所定パターン情報が検出された場合、書画カメラ２は、画像停止状態ＳＴ３２に遷移する。また、画像送信状態ＳＴ３１において、電源オフ操作が行われた場合、書画カメラ２は、待機状態ＳＴ３０に遷移する。
【００７７】
画像停止状態ＳＴ３２は、書画カメラ２が、撮像した画像情報に所定パターン情報が含まれているか否かを解析している状態である。この画像停止状態ＳＴ３２は、画像情報に基づく画像信号をプロジェクター２００に送信していない状態である。画像停止状態ＳＴ３２において、撮像した画像情報に所定パターン情報が検出されなくなった場合、書画カメラ２は、画像送信状態ＳＴ３１に遷移する。また、画像停止状態ＳＴ３２において、電源オフ操作が行われた場合、書画カメラ２は、待機状態ＳＴ３０に遷移する。
【００７８】
次に、書画カメラ２の各状態における処理と状態遷移について説明する。
図１１は、書画カメラ２の待機状態ＳＴ３０における処理のフローチャートである。
【００７９】
待機状態ＳＴ３０において、制御部１４は、入力操作部１３に備わる電源キーが押下され、電源オン操作が行われたか否かを判断する（ステップＳ２０１）。電源オン操作が行われていない場合（ステップＳ２０１：ＮＯ）、ステップＳ２０１をループして、電源オン操作が行われるのを待ち続ける。
【００８０】
電源オン操作が行われた場合（ステップＳ２０１：ＹＥＳ）、制御部１４は、初期処理を行う（ステップＳ２０２）。初期処理は、第１の実施形態に係る書画カメラ１の初期処理と同様である。次に、制御部１４は、撮像部１２に指示を出して、撮像を開始する（ステップＳ２０３）。
【００８１】
制御部１４は、画像情報解析部１５に指示を出して、撮像した画像情報の解析を開始する（ステップＳ２０４）。制御部１４は、画像処理部１７および画像送信部１８に指示を出して、画像情報に基づいた画像信号の送信を開始させる（ステップＳ２０５）。そして、制御部１４は、書画カメラ１を画像送信状態ＳＴ３１に遷移させる（ステップＳ２０６）。そして、待機状態ＳＴ３０における書画カメラ２の処理を終了する。
【００８２】
次に、画像送信状態ＳＴ３１における処理と状態遷移について説明する。
図１２は、書画カメラ２の画像送信状態ＳＴ３１における処理のフローチャートである。
【００８３】
画像送信状態ＳＴ３１において、画像情報解析部１５は、撮像部１２で撮像された画像情報を解析し、所定パターン情報の有無を検出して制御部１４に通知する（ステップＳ２１１）。所定パターン情報が検出された場合（ステップＳ２１１：ＹＥＳ）、制御部１４は、画像処理部１７および画像送信部１８に指示を出して、画像信号の送信を停止させる（ステップＳ２１２）。
【００８４】
制御部１４は、制御信号送信部１６に指示を出して、画像ミュート開始要求信号を送信させる（ステップＳ２１３）。これにより、ＵＳＢ通信部１９からＵＳＢケーブルＣを介してプロジェクター２００に画像ミュート開始要求信号が送信される。そして、制御部１４は、書画カメラ２を画像停止状態ＳＴ３２に遷移させる（ステップＳ２１４）。そして、画像送信状態ＳＴ３１における書画カメラ２の処理を終了する。
【００８５】
所定パターン情報が検出されない場合（ステップＳ２１１：ＮＯ）、制御部１４は、電源オフ操作が行われたか否かを判断する（ステップＳ２１５）。電源オフ操作が行われていれば（ステップＳ２１５：ＹＥＳ）、制御部１４は、画像処理部１７および画像送信部１８に指示を出して、画像信号の送信を停止させる（ステップＳ２１６）。
【００８６】
制御部１４は、撮像部１２に指示を出して、撮像を停止させる（ステップＳ２１７）。そして、制御部１４は、画像情報解析部１５に指示を出して、画像情報の解析を停止させる（ステップＳ２１８）。
【００８７】
制御部１４は、電源オフ処理を行う（ステップＳ２１９）。そして、制御部１４は、書画カメラ２を待機状態ＳＴ３０に遷移させる（ステップＳ２２０）。そして、画像送信状態ＳＴ３１における書画カメラ２の処理を終了する。
【００８８】
電源オフ操作が行われていなければ（ステップＳ２１５：ＮＯ）、制御部１４は、その他の操作が行われたか否かを判断する（ステップＳ２２１）。その他の操作が行われていれば（ステップＳ２２１：ＹＥＳ）、制御部１４は、その他の操作に対応した処理を行う（ステップＳ２２２）。そして、ステップＳ２１１に移行する。
【００８９】
その他の操作が行われていなければ（ステップＳ２２１：ＮＯ）、ステップＳ２１１に移行する。
【００９０】
次に、画像停止状態ＳＴ３２における処理と状態遷移について説明する。
図１３は、書画カメラ２の画像停止状態ＳＴ３２における処理のフローチャートである。
【００９１】
画像停止状態ＳＴ３２において、画像情報解析部１５は、撮像部１２で撮像された画像情報を解析し、所定パターン情報の有無を検出して制御部１４に通知する（ステップＳ２３１）。所定パターン情報が検出されない場合（ステップＳ２３１：ＮＯ）、制御部１４は、画像処理部１７および画像送信部１８に指示を出して、画像情報に基づいた画像信号の送信を開始させる（ステップＳ２３２）。
【００９２】
制御部１４は、制御信号送信部１６に指示を出して、画像ミュート終了要求信号を送信させる（ステップＳ２３３）。これにより、ＵＳＢ通信部１９からＵＳＢケーブルＣを介してプロジェクター２００に画像ミュート終了要求信号が送信される。そして、制御部１４は、書画カメラ２を画像送信状態ＳＴ３１に遷移させる（ステップＳ２３４）。そして、画像停止状態ＳＴ３２における書画カメラ２の処理を終了する。
【００９３】
所定パターン情報が検出された場合（ステップＳ２３１：ＹＥＳ）、制御部１４は、電源オフ操作が行われたか否かを判断する（ステップＳ２３５）。電源オフ操作が行われていれば（ステップＳ２３５：ＹＥＳ）、制御部１４は、撮像部１２に指示を出して、撮像を停止させる（ステップＳ２３６）。そして、制御部１４は、画像情報解析部１５に指示を出して、画像情報の解析を停止させる（ステップＳ２３７）。
【００９４】
制御部１４は、電源オフ処理を行う（ステップＳ２３８）。そして、制御部１４は、書画カメラ２を待機状態ＳＴ３０に遷移させる（ステップＳ２３９）。そして、画像停止状態ＳＴ３２における書画カメラ２の処理を終了する。
【００９５】
電源オフ操作が行われていなければ（ステップＳ２３５：ＮＯ）、制御部１４は、その他の操作が行われたか否かを判断する（ステップＳ２４０）。その他の操作が行われていれば（ステップＳ２４０：ＹＥＳ）、制御部１４は、その他の操作に対応した処理を行う（ステップＳ２４１）。そして、ステップＳ２３１に移行する。
【００９６】
その他の操作が行われていなければ（ステップＳ２４０：ＮＯ）、ステップＳ２３１に移行する。
【００９７】
上述したように、書画カメラ２は、待機状態ＳＴ３０と、画像送信状態ＳＴ３１と、画像停止状態ＳＴ３２との間で遷移することができる。
【００９８】
次に、プロジェクター２００の状態遷移について説明する。図１４は、本実施形態に係るプロジェクター２００の状態遷移図である。図１４に示すように、プロジェクター２００は、待機状態ＳＴ４０、投写状態ＳＴ４１、および画像ミュート状態ＳＴ４２に遷移可能となっている。
【００９９】
プロジェクター２００は、外部からＡＣ１００Ｖ等の商用電源が供給されると、待機状態ＳＴ４０となる。待機状態ＳＴ４０は、画像投写を行っておらず、電源オン操作を待機している状態である。待機状態ＳＴ４０において、電源オン操作を受け付けると、投写状態ＳＴ４１に遷移する。
【０１００】
投写状態ＳＴ４１は、プロジェクター２００が、書画カメラ２から送信された画像信号を受信して、その画像信号に基づいて画像を投写している状態である。投写状態ＳＴ４１において、画像ミュート開始要求信号が受信された場合、プロジェクター２００は、画像ミュート状態ＳＴ４２に遷移する。また、投写状態ＳＴ４１において、電源オフ操作が行われた場合、プロジェクター２００は、待機状態ＳＴ４０に遷移する。
【０１０１】
画像ミュート状態ＳＴ４２は、プロジェクター２００が、書画カメラ２から送信された画像信号に基づいた画像投写を一時停止（画像ミュート）している状態である。本実施形態では、プロジェクター２００は、書画カメラ２からの画像の代わりに黒色画像等を投写させることで、画像ミュート状態としている。画像ミュート状態ＳＴ４２において、画像ミュート終了要求信号が受信された場合、プロジェクター２００は、投写状態ＳＴ４１に遷移する。また、画像ミュート状態ＳＴ４２において、電源オフ操作が行われた場合、プロジェクター２００は、待機状態ＳＴ４０に遷移する。
【０１０２】
次に、上述した書画カメラ２およびプロジェクター２００の動作をシーケンス図を用いて説明する。
図１５は、書画カメラ２およびプロジェクター２００の動作を示すシーケンス図である。
【０１０３】
ユーザーにより、プロジェクター２００の電源オン操作が行われると（Ｅ２１）、プロジェクター２００は、電源オンに伴う処理を実行し、画像の投写を開始する。そして、ユーザーにより、書画カメラ２の電源オン操作が行われると（Ｅ２２）、書画カメラ２は、電源オンに伴う処理を実行し、撮像と画像情報の解析を開始する。さらに、画像信号の送信を開始する。
【０１０４】
ユーザーにより、ステージ１０ａ上の被写体Ｍが取り除かれると、所定のパターンＰＴは現れて所定パターン情報は検出される（Ｅ２３）。すると、書画カメラ２は画像信号の送信を停止して、画像ミュート開始要求信号をプロジェクター２００に送信する。画像ミュート開始要求信号を受信すると、プロジェクター２００は、黒色画像等のミュート画像の投写を開始する。
【０１０５】
ユーザーにより、ステージ１０ａ上に被写体Ｍが載置されると、所定のパターンＰＴは隠されて所定パターン情報は検出されなくなる（Ｅ２４）。すると、書画カメラ２は画像信号の送信を開始して、画像ミュート終了要求信号をプロジェクター２００に送信する。画像ミュート終了要求信号を受信すると、プロジェクター２００は、ミュート画像の投写を終了し、書画カメラ２から送信される画像信号に基づいた画像投写を再開する。
【０１０６】
ユーザーにより、書画カメラ２の電源オフ操作が行われると（Ｅ２５）、書画カメラ２は、画像信号の送信を停止して撮像と画像情報の解析を停止し、電源オフに伴う処理を実行して、電源オフする。そして、ユーザーにより、プロジェクター２００の電源オフ操作が行われると（Ｅ２６）、プロジェクター２００は、画像の投写を停止し、電源オフに伴う処理を実行して、電源オフする。
【０１０７】
上述したように、本実施形態の書画カメラ２およびプロジェクター２００の態様によれば、ユーザーが書画カメラ２に印刷された所定のパターンＰＴを現すことにより、プロジェクター２００を画像ミュート状態にすることができる。また、ユーザーが所定のパターンＰＴを隠すことにより、プロジェクター２００は画像ミュート状態を終了して通常の画像投写を行うことができる。
【０１０８】
上述した第２の実施形態によれば、以下の効果が得られる。
（１）書画カメラ２は、撮像した画像情報に所定のパターンＰＴを表す所定パターン情報が含まれている場合に、プロジェクター２００に画像ミュート開始要求信号を送信する。また、所定パターン情報が含まれていない場合に、プロジェクター２００に画像ミュート終了要求信号を送信する。つまり、ユーザーは、ステージ１０ａから被写体Ｍを取り除いて所定のパターンＰＴを現した状態にすることで、プロジェクター２００を画像ミュート状態にさせることができる。また、ステージ１０ａに被写体Ｍを載置して所定のパターンＰＴが隠れた状態にすることで、プロジェクター２００の画像ミュート状態を終了させることができる。これにより、簡易にプロジェクター２００の画像ミュート状態を切り替えることが可能となるため、利便性が向上する。また、ステージ１０ａ上に被写体Ｍが無い場合に、プロジェクター２００から画像が投写されることを防止できるため、投写画像の視聴者に不要な画像を視聴させてしまうことを回避することができる。
【０１０９】
なお、上述した実施形態に限定されず、種々の変更や改良等を加えて実施することが可能である。変形例を以下に述べる。
【０１１０】
（変形例１）上記実施形態では、書画カメラ１（２）とプロジェクター１００（２００）とがＵＳＢケーブルＣを介して接続されているものとしたが、他の種類のケーブルを介して接続されているものとしてもよい。例えば、アナログＲＧＢケーブルやＤＶＩ（Digital Visual Interface）ケーブル等としてもよい。また、画像信号を送信するためのケーブルと、制御信号を送信するためのケーブルとを分離した態様としてもよい。
【０１１１】
（変形例２）上記実施形態では、所定のパターンＰＴは星型のパターンとしたが、これに限定するものではない。他の形のパターンや文字列等としてもよい。
【０１１２】
（変形例３）上記実施形態では、書画カメラ１（２）は、撮像部１２が撮像した画像情報に所定のパターンＰＴを表す所定パターン情報が含まれていることを検出すると、プロジェクター１００（２００）を電源オフしたり、画像ミュートしたりするものとしたが、所定パターン情報を検出してから所定の時間経過後に電源オフしたり、画像ミュートしたりするものとしてもよい。こうすれば、書画カメラ１（２）の操作者が被写体Ｍを差し替える際に、プロジェクター１００（２００）が電源オフしたり、画像ミュートしたりすることを回避することが可能となる。ここで、所定の時間は、例えば、ユーザーが書画カメラ１（２）にソフトウェアとして実装する機能メニューに「時間設定」画面を設け、ユーザーがこの画面上で所定の時間を設定可能としてもよい。
【０１１３】
（変形例４）上記第１の実施形態では、書画カメラ１は、撮像した画像情報に所定のパターンＰＴを表す所定パターン情報が含まれていないことを検出すると、プロジェクター１００を電源オンさせ、所定パターン情報が含まれていることを検出すると、プロジェクター１００を電源オフさせるものとした。しかし、所定パターン情報が含まれていることを検出した場合には、プロジェクター１００を電源オフさせないものとしてもよい。こうすれば、書画カメラ１は、プロジェクター１００の電源オンのみを制御することになるため、書画カメラ１の操作者が被写体Ｍを差し替える際に、プロジェクター１００が電源オフしてしまうことを回避することが可能となる。
【０１１４】
（変形例５）上記第２の実施形態では、プロジェクター２００は、黒色画像等を投写させることで、画像ミュート状態ＳＴ４２としているが、黒色画像に限定するものではない。また、画像ミュート状態ＳＴ４２では、プロジェクター２００の光源（図示せず）を消灯してもよい。
【０１１５】
（変形例６）上記実施形態では、画像入力装置として書画カメラ１（２）を用いて説明しているが、画像入力装置は書画カメラ１（２）に限定されず、他の画像入力装置（撮像装置）を用いるようにしてもよい。
【０１１６】
（変形例７）上記実施形態では、画像表示装置としてプロジェクター１００（２００）を用いて説明しているが、制御信号および画像信号を受信して画像表示する画像表示装置であれば適用することが可能である。例えば、透過型のスクリーンを一体的に備えたリアプロジェクター、あるいは、液晶ディスプレー、プラズマディスプレー、ＳＥＤ（Surface-Conduction Electron-Emitter Display）、有機ＥＬ（Electro Luminescence）ディスプレー、ＣＲＴ（Cathode Ray Tube）ディスプレー等に適用することも可能である。
【符号の説明】
【０１１７】
１，２…書画カメラ、１０…筐体、１０ａ…ステージ、１１…支持アーム、１２…撮像部、１３…入力操作部、１４…制御部、１５…画像情報解析部、１６…制御信号送信部、１７…画像処理部、１８…画像送信部、１９…ＵＳＢ通信部、１００，２００…プロジェクター。
【図１】
2010219855.tif 000003
【図２】
2010219855.tif 000004
【図３】
2010219855.tif 000005
【図４】
2010219855.tif 000006
【図５】
2010219855.tif 000007
【図６】
2010219855.tif 000008
【図７】
2010219855.tif 000009
【図８】
2010219855.tif 000010
【図９】
2010219855.tif 000011
【図１０】
2010219855.tif 000012
【図１１】
2010219855.tif 000013
【図１２】
2010219855.tif 000014
【図１３】
2010219855.tif 000015
【図１４】
2010219855.tif 000016
【図１５】
2010219855.tif 000017